(57)【要約】【課題】  炊飯時等における水滴付着，台所の油煙，埃などで汚れやすい外蓋上面の清掃性を良くした炊飯器を提供する。【解決手段】  本体１と、外蓋３と、内鍋２と、内蓋４と、蓋加熱手段７と、内蓋蒸気通路９と、内蓋蒸気通路９と連通する蒸気口５とを備えた炊飯器において、外蓋３を本体１の上面開口部を覆う外蓋本体３ａと、外蓋本体３ａの上面に設けられる外蓋内カバー３ｂと、外蓋内カバー３ｂの蓋上面を覆う外蓋外カバー１５とで構成し、外蓋外カバー１５は、基材１５ａをＡＢＳ樹脂で構成し、表面に紫外線硬化塗装１５ｃを施し、下面に外蓋内カバー３ｂをネジ２０で固定するためのネジ受け１６を設け、外蓋内カバー３ｂには外蓋外カバー１５のネジ受け１６に対応したネジ穴１８を設け、ネジ穴１８は、外蓋内カバー３ｂの前側に設けられるネジ穴１８ａを丸穴とし、他のネジ穴１８ｂを外蓋内カバー３ｂの前後方向に長径となる長穴としたものである。【選択図】図７
2009291261.tif 000002
【特許請求の範囲】
【請求項１】
本体と、該本体の上面開口部を覆う外蓋と、前記本体内に着脱自在に収納される内鍋と、前記外蓋の下面に設けられ前記内鍋の上面開口部を覆う内蓋と、前記外蓋と前記内蓋の間に設けられ該内蓋を加熱する蓋加熱手段と、前記内蓋に設けられた内蓋蒸気通路と、前記外蓋に設けられ前記内蓋蒸気通路と連通する蒸気口とを備えた炊飯器において、前記外蓋を前記本体の上面開口部を覆う外蓋本体と、該外蓋本体の上面に設けられる外蓋内カバーと、該外蓋内カバーの蓋上面を覆う外蓋外カバーとで構成し、該外蓋外カバーは、基材をＡＢＳ樹脂で構成し、表面に紫外線硬化塗装を施し、下面に前記外蓋内カバーをネジで固定するためのネジ受けを設け、前記外蓋内カバーには前記外蓋外カバーのネジ受けに対応したネジ穴を設け、該ネジ穴は、前記外蓋内カバーの前側に設けられるネジ穴を丸穴とし、他のネジ穴を前記外蓋内カバーの前後方向に長径となる長穴としたことを特徴とする炊飯器。
【発明の詳細な説明】
【技術分野】
【０００１】
本発明は、炊飯時等における水滴付着，台所の油煙，埃などで汚れやすい外蓋上面の清掃性を良くした炊飯器に関するものである。
【背景技術】
【０００２】
従来から炊飯器の外蓋上面には、炊飯時における水滴の飛び散りや台所の油煙，埃などによる汚れを防止するために、外蓋上面の清掃性を向上させる工夫が施されている。
【０００３】
特許文献１に示すものは、外蓋の表面にアルミニウムやステンレス鋼などの金属材料で構成した蓋表面部材を着脱自在に設けたものであり、該蓋表面部材を外して洗うことで簡単に汚れを落とすようにしたものである。
【０００４】
また、特許文献２に示すものは、印刷面を保護する目的で傷がつきにくい紫外線硬化塗装（ＵＶ塗装）を塗布することが紹介され、塗布し硬化した樹脂の物性として、樹脂の伸びと塗膜の固さは反比例し、樹脂の伸びが小さいほど硬度が固いことが知らされている。
【０００５】
【特許文献１】特開２００３−２９００２６号公報
【特許文献２】特開２００２−２３１０８４号公報
【発明の開示】
【発明が解決しようとする課題】
【０００６】
上記した従来技術において、特許文献１に示すものは、外蓋の表面に設けられた蓋表面部材を、アルミニウムやステンレス鋼などの金属材料で構成し、該蓋表面部材を外して洗えるようにしているが、アルミニウムやステンレス鋼の一般的な硬度は鉛筆硬度でＨＢ程度であるため、ナイロンたわしなどで擦ると、表面に細かな傷が付いてしまう問題がある。
【０００７】
この問題を解決するため、外蓋の表面に紫外線硬化塗装を施し、塗装表面を硬く（鉛筆硬度で２Ｈ）保護することで、清掃時にナイロンたわしなどで強く擦っても細かい傷を付かなくすることが可能である。
【０００８】
しかし、特許文献２に示すように、紫外線硬化塗装を塗布することで硬化した樹脂の物性として、樹脂の伸びと塗膜の固さは反比例し、樹脂の伸びが小さいほど硬度が固いことが知られている。
【０００９】
その為、炊飯器の外蓋を、本体の上面開口部を覆う外蓋本体と、該外蓋本体の上面に設けた外蓋内カバーと、該外蓋内カバーの上面を覆う外蓋外カバーとで構成したものにおいては、外蓋外カバーの表面に紫外線硬化塗装を施したのち、該外蓋外カバーを外蓋内カバーのネジ受けに双方のネジ穴が合致しない状態でネジで固定されると、外蓋外カバーが応力の残った状態で固定されることになり、この状態で炊飯が行われると、外蓋内カバーは炊飯時に発生する熱と使用後の放熱によって膨張，収縮を生じ、該膨張と収縮が応力の残った個所に集中し、膨張と収縮が繰り返されることで紫外線硬化塗装にひび割れを起こしてしまう。
【００１０】
また、外蓋内カバーと外蓋外カバーに応力が残っている状態で熱が加わると、双方の応力によって膨張する量が紫外線硬化塗装を施した外蓋外カバーの固有の膨張量より大きくなり、紫外線硬化塗装に一定以上の大きな伸びや収縮が発生してひび割れを生ずる問題があった。
【課題を解決するための手段】
【００１１】
本発明は、上記従来の課題を解決するためになされたものであり、本体と、該本体の上面開口部を覆う外蓋と、前記本体内に着脱自在に収納される内鍋と、前記外蓋の下面に設けられ前記内鍋の上面開口部を覆う内蓋と、前記外蓋と前記内蓋の間に設けられ該内蓋を加熱する蓋加熱手段と、前記内蓋に設けられた内蓋蒸気通路と、前記外蓋に設けられ前記内蓋蒸気通路と連通する蒸気口とを備えた炊飯器において、前記外蓋を前記本体の上面開口部を覆う外蓋本体と、該外蓋本体の上面に設けられる外蓋内カバーと、該外蓋内カバーの蓋上面を覆う外蓋外カバーとで構成し、該外蓋外カバーは、基材をＡＢＳ樹脂で構成し、表面に紫外線硬化塗装を施し、下面に前記外蓋内カバーをネジで固定するためのネジ受けを設け、前記外蓋内カバーには前記外蓋外カバーのネジ受けに対応したネジ穴を設け、該ネジ穴は、前記外蓋内カバーの前側に設けられるネジ穴を丸穴とし、他のネジ穴を前記外蓋内カバーの前後方向に長径となる長穴としたものである。
【発明の効果】
【００１２】
上記本発明によれば、炊飯時における水滴の飛び散りや台所の油煙，埃などで汚れやすい外蓋の外蓋外カバーに紫外線硬化塗装を施し、塗装表面を硬く（鉛筆硬度で２Ｈ）保護することで、清掃時にナイロンたわしなどで強く擦っても細かい傷が付くことが無くなり、気楽に簡単に清掃が出来るものである。
【００１３】
また、外蓋外カバーは、下面に外蓋内カバーをネジで固定するためのネジ受けを設け、外蓋内カバーには前側に設けられるネジ穴を丸穴とし、他のネジ穴を前記外蓋内カバーの前後方向に長径となる長穴としたので、外蓋外カバーは表面に紫外線硬化塗装を施したのち、ネジの取り付け位置を丸穴で位置決めしたのち長穴に合わせて調節し、応力の残らない状態で外蓋内カバーに固定することができ、これによって外蓋内カバーは、炊飯時に発生する熱と使用後の放熱によって膨張，収縮しても紫外線硬化塗装に大きな伸びや収縮が発生してひび割れを発生することがなく、長年綺麗に保つことができる。
【発明を実施するための最良の形態】
【００１４】
以下、本発明の一実施例について図面を用いて詳細に説明する。
【００１５】
図１は本発明の炊飯器の側面外観図である。
【００１６】
図１において、１は炊飯器の本体である。本体１内には内鍋２が着脱自在に挿入されている。本体１の上面には、本体１と内鍋２の上面開口部を覆う内蓋４を備えた外蓋３が開閉自在に設けられている。
【００１７】
内蓋４の下面周縁部には、内鍋２の上端と密接するパッキン４ａが設けられ、内鍋２の上部開口を閉塞して密閉している。
【００１８】
本体１の前面上部には操作，表示を行うための操作部８が取付けられている。操作部８には、時刻表示や炊飯の進行状況，各種メニューの設定内容などを表示する液晶表示器などで構成された表示部と、炊飯の開始や各種メニュー，タイマー炊飯の設定などを行う複数の操作ボタンを配置している。
【００１９】
また、本体１には前後に回動可能なハンドル６が取付けられており、本体１を自由に持ち運ぶことができる。
【００２０】
図２は炊飯器の側面断面図、図３は外蓋を構成する外観部品を説明する分解斜視図、図４は外蓋外カバーの塗装の構成を説明する図、図５は外蓋外カバーの裏側を示す斜視図、図６は外蓋内カバーの裏側を示す斜視図、図７は外蓋内カバーに外蓋外カバーを取付けた裏側を示す斜視図である。
【００２１】
各図において、外蓋３は、本体１の上面開口部を覆うように成形された外蓋本体３ａと、外蓋本体３ａの上面に空間を保持して断熱性を持たせるように設けられた外蓋内カバー３ｂとで構成し、炊飯時や保温時に発生する熱が本体１の内部から外蓋３の上面に伝わるのを防いでいる。
【００２２】
外蓋内カバー３ｂの上面には外蓋３の外郭を構成し、外観色となる塗料が施された外蓋外カバー１５が取付けられる。
【００２３】
そして、外蓋本体３ａと外蓋内カバー３ｂの内部には、炊飯時に発生する圧力に耐えられるように補強部材（図示せず）が備えられている。
【００２４】
外蓋本体３ａと外蓋内カバー３ｂは、炊飯時の熱や調理（近年では炊飯器で蒸し物やケーキなども調理可能）に使用される油に曝される使用環境に適した耐熱，耐油性に優れたポリプロピレン樹脂が用いられている。
【００２５】
外蓋外カバー１５は、上面に外観色となる塗料を施すため、外蓋本体３ａと外蓋内カバー３ｂと同じポリプロピレン樹脂を使用すると、塗装と樹脂との密着が悪く、塗装の前に前処理の工程が必要となり、その分コスト高になってしまう。
【００２６】
そこで、外蓋本体３ａと、外蓋内カバー３ｂとで炊飯時や保温時に発生する熱を外蓋３の上面に伝わるのを防ぎ、耐熱温度がポリプロピレン樹脂より低いＡＢＳ樹脂を使用することが可能となり、塗装時に前処理を施す必要が無くなる。
【００２７】
外蓋外カバー１５は、基材１５ａのＡＢＳ樹脂の表面に外観色となる下塗り１５ｂを膜厚４〜５μｍの範囲で施し、乾燥後、その表面に透明な紫外線硬化塗装（以下ＵＶ塗装と言う）からなる上塗り１５ｃを１５μｍの範囲で施し、紫外線を数秒間照射して乾燥している。
【００２８】
上塗り１５ｃのＵＶ塗装は、表面硬度が鉛筆硬度で２Ｈとアルミニウムやステンレス鋼の鉛筆硬度ＨＢに比べて硬いという特徴があり（ＪＩＳ規格では、硬度６Ｂから６Ｈに至るに従って硬度が増加する）、また、乾燥時間も大変短いという特徴がある。
【００２９】
外蓋外カバー１５の固定は、外蓋内カバー３ｂの裏側からのネジ止めとツメによる引掛け構造とし、そのために、外蓋外カバー１５の下面外周側にネジ受け１６が適宜間隔を保持して前後方向に複数個設けられ、その内側に蒸気口５の周囲を除くように同じく複数個のツメ１７が設けられている。
【００３０】
外蓋内カバー３ｂには、外蓋外カバー１５に設けられたネジ受け１６とツメ１７に対応するように、ネジ穴１８と、角穴形状のツメ穴１９が設けられている。
【００３１】
外蓋内カバー３ｂに固定される外蓋外カバー１５は、外蓋３の前側で位置合わせして、後方側にネジ穴１８とネジ受け１６の合致位置の寸法誤差を逃がす構造としている。
【００３２】
そのため、外蓋内カバー３ｂの前側のネジ穴１８ａはネジ２０ａの径に対してガタの少ない丸穴形状とし、ネジ穴１８ｂは前記外蓋内カバー３ｂの前後方向に長径となる長穴形状としている。
【００３３】
また、外蓋外カバー１５のツメ１７と外蓋内カバー３ｂのツメ穴１９も前記と同様に、外蓋３の前面側のツメ１７ａとツメ穴１９ａ以外は、外蓋内カバー３ｂと外蓋外カバー１５の前後方向に寸法の誤差が生じても固定できる方向にツメ１７ｂとツメ穴１９ｂの向きを一致させている。
【００３４】
但し、外蓋外カバー１５の固定はネジによる固定だけでも良い。
【００３５】
外蓋外カバー１５と外蓋内カバー３ｂの組み立ては、最初に外蓋内カバー３ｂの前側のネジ穴１８ａにネジ２０ａを通し、外蓋外カバー１５のネジ受け１６ａに捻じ込んで固定する。
【００３６】
次に、外蓋内カバー３ｂの長穴形状のネジ穴１８ｂにネジ２０ｂを通し、外蓋外カバー１５のネジ受け１６ｂに捻じ込んで固定する。この時、ネジ２０ｂの取り付け位置は、長穴形状に合わせて調節し、外蓋内カバー３ｂと外蓋外カバー１５に応力の残らない状態で固定することができるので、外蓋外カバー１５に熱膨張が生じてもその熱膨張が一部に集中することは無く、また、外蓋内カバー３ｂにも応力が残っていないので、外蓋外カバー１５の表面に塗布したＵＶ塗料にひび割れなどの不具合が発生することはない。
【００３７】
外蓋３の下面には蓋加熱ヒータ７ａと該蓋加熱ヒータ７ａによって加熱される内蓋加熱板７ｂとで構成される蓋加熱手段７が設けられ、該蓋加熱手段７によって内蓋４の全面を均等に加熱する。
【００３８】
また、外蓋３は、ヒンジ軸２０によって本体１に開閉自在に支持されている。
【００３９】
本体１の底部および側部には、内鍋２を加熱するための加熱手段１１が設けられており、これらは加熱コイルで構成され、対向する内鍋２の部位を誘導加熱する。
【００４０】
操作部８の下方には制御部１２が配置されており、該制御部１２は、加熱手段１１と蓋加熱ヒータ７ａの加熱を制御して自動的に火力を調節する。
【００４１】
本体１内の下部には内鍋２の外側底部に当接するように温度センサー１４が設けられ、該温度センサー１４によって検知した内鍋２底部の温度情報を制御部１２に入力する。
【００４２】
前記制御部１２は、温度センサー１４からの内鍋２の温度情報によって加熱手段１１，蓋加熱ヒータ７ａの動作を制御する。
【００４３】
内鍋２は内蓋４の周縁部に設けられたパッキン４ａで閉塞され、密閉空間で発生する水蒸気は、内蓋４に設けられた内蓋蒸気通路９と、内蓋加熱板７ｂと蒸気通路パッキン２１で閉塞された蒸気通路２２と、外蓋３を貫通して外部と連通する蒸気口５を通して外部に放出される。内蓋蒸気通路９と蒸気通路２２の間には調圧手段（鋼球）１０が設けられている。
【００４４】
調圧手段１０は、内蓋４から通路を狭くして形成した内蓋蒸気通路９に、該内蓋蒸気通路９を塞ぐように鋼球が乗せられている構成としている。そして内鍋２内部の蒸気圧が所定圧力より高まると、その蒸気圧により調圧手段１０が持ち上げられて蒸気口５から圧力が抜け、その圧力が所定圧力より低くなると再び調圧手段１０が内蓋蒸気通路９を塞いで蒸気圧が高まる。この繰り返しで内鍋２と内蓋４内の圧力が一定圧力に調整される。
【００４５】
蒸気口５は、外蓋３を貫通して蒸気通路２２に連結され、炊飯中に発生する蒸気が耐熱温度の低い外蓋外カバー１５に直接掛からないようになっている。
【００４６】
次に実際の使用手順に添って炊飯から蒸らし工程までの動作を説明する。
【００４７】
使用者は内鍋２に所要量の洗米した米と水加減した適量の水を入れ、本体１内に収納し、外蓋３を閉じる。
【００４８】
次に、操作部８にある操作ボタンを操作することによって、炊飯が開始される。炊飯はいわゆる「始めチョロチョロ中パッパ」の言い伝えの如く、火加減が重要であり、制御部１２に収められた炊飯プログラムに従って、温度センサー１４の温度情報を基に炊飯量に応じて加熱手段１１と蓋加熱ヒータ７ａを制御して内鍋２が加熱される。
【００４９】
やがて、内鍋２内が沸騰すると、調圧手段１０によって調圧機能が働き、蒸気通路２２を通った蒸気は蒸気口５から噴出し蒸気量を調整することで、内鍋２の内部を一定の圧力に保つ。
【００５０】
なお、この時、蒸気口５から噴出した蒸気は、本体１の外側上方に噴出する。
【００５１】
内鍋２の加熱が更に進むと、米が水を吸って内鍋２内部の水がなくなり、それとともに内鍋２の底部の温度が急上昇し、この急上昇を温度センサー１４で検出して、その温度情報を制御部１２に伝え、次の蒸らし工程に移行する。さらに、蒸らし工程が終了すると保温工程に移行し、内鍋２内のご飯を食する状態となる。
【００５２】
この時、外蓋３の温度は一番高い状態に曝されている。しかし、外蓋外カバー１５に伝わる熱は、外蓋本体３ａとその上面の空間を保持して断熱性を持たせた外蓋内カバー３ｂによって軽減される。
【００５３】
また、外蓋外カバー１５の膨張も、外蓋外カバー１５を外蓋内カバー３ｂに固定する時に、最初にネジ穴１８ａにネジ２０ａを通してネジ受け１６ａに固定し、次に、長穴形状のネジ穴１８ｂからネジ２０ｂを通して、ネジ受け１６ｂの位置に合わせてネジ２０ｂを固定しているので、外蓋内カバー３ｂと外蓋外カバー１５には応力が残っておらず、外蓋外カバー１５全体で変化するので、その変化が一部に集中することは無い。
【００５４】
また、外蓋内カバー３ｂも応力が残っていないので外蓋外カバー１５に不要の応力を及ぼすことが無く、外蓋外カバー１５表面に塗布したＵＶ塗料にひび割れなどの不具合を発生することが無い。
【００５５】
そして、炊飯器を使用し終わった後には、内鍋２と内蓋４を外して洗い、外蓋外カバー１５の表面に付着した水滴やほこり等は、ＵＶ塗装した外蓋外カバー１５を拭くことで簡単に清掃を終了することができる。
【００５６】
また、炊飯器をしばらく使用しないで放置され、外蓋外カバー１５の上面が油煙や埃で汚れている場合にも、上塗り１５ｃにＵＶ塗装が施され、塗装表面が非常に硬く傷が付きにくいので、傷が付くのを恐れずに清掃することができ、この際頑固な汚れでもナイロンたわしを使用して簡単に清掃することができる。
【００５７】
以上のように、本実施例によれば、炊飯時における水滴の飛び散りや台所の油煙，埃などで汚れやすい外蓋の外蓋外カバーに紫外線硬化塗装を施し、塗装表面を硬く（鉛筆硬度で２Ｈ）保護することで、清掃時にナイロンたわしなどで強く擦っても細かい傷が付くことが無くなり、気楽に簡単に清掃が出来るものである。
【００５８】
また、外蓋外カバーは、下面に外蓋内カバーをネジで固定するためのネジ受けを設け、外蓋内カバーには前側に設けられるネジ穴を丸穴とし、他のネジ穴を前記外蓋内カバーの前後方向に長径となる長穴としたので、外蓋外カバーは表面に紫外線硬化塗装を施したのち、ネジの取り付け位置を丸穴で位置決めしたのち長穴に合わせて調節し、応力の残らない状態で外蓋内カバーに固定することができ、これによって外蓋内カバーは、炊飯時に発生する熱と使用後の放熱によって膨張，収縮しても紫外線硬化塗装に大きな伸びや収縮が発生してひび割れを発生することがなく、長年綺麗に保つことができる。
【図面の簡単な説明】
【００５９】
【図１】本発明に係る炊飯器の側面外観図である。
【図２】同炊飯器の側面断面図である。
【図３】同炊飯器の外蓋を構成している外観部品の分解斜視図である。
【図４】同炊飯器の外蓋外カバーの塗装部の説明図である。
【図５】同炊飯器の外蓋外カバーの裏側を示す斜視図である。
【図６】同炊飯器の外蓋内カバーの裏側を示す斜視図である。
【図７】同炊飯器の外蓋内カバーに外蓋外カバーを取付けた裏側を示す斜視図である。
【符号の説明】
【００６０】
１  本体
２  内鍋
３  外蓋
４  内蓋
５  蒸気口
７  蓋加熱手段
１５  外蓋外カバー
１５ａ  基材
１５ｂ  下塗り
１５ｃ  上塗り（ＵＶ塗装）
【図１】
2009291261.tif 000003
【図２】
2009291261.tif 000004
【図３】
2009291261.tif 000005
【図４】
2009291261.tif 000006
【図５】
2009291261.tif 000007
【図６】
2009291261.tif 000008
【図７】
2009291261.tif 000009